(57)【特許請求の範囲】
【請求項１】
互いに離れた位置に設けられた第一端子及び第二端子を含む電気接点部と、
前記電気接点部の接続状態を受信する受信部と、
前記受信部が受信した信号を演算する演算手段と、
前記演算手段による演算結果を表示する表示部と、
電源と、を備え、
前記電気接点部が水中に入れられることによって、前記第一端子と前記第二端子とが通電し、前記電気接点部が水中から出されることによって絶縁する機構を有し、
前記通電及び／又は絶縁の回数を計測することにより、水中における体動回数を計測すること、
を特徴とする水中体動検出装置。
【請求項２】
前記略同一平面の前記第一端子と前記第二端子との間に凸部を有すること、
を特徴とする請求項１に記載の水中体動検出装置。
【請求項３】
更に、前記演算結果を送信する送信部を備えること、
を特徴とする請求項１又は２に記載の水中体動検出装置。
【発明の詳細な説明】
【技術分野】
【０００１】
本発明は、水中における各種運動の運動量を正確に計測できる水中体動検出装置に関する。
【背景技術】
【０００２】
近年、生活習慣病予防、ダイエット及び安全な筋力強化法等として、水中ウォーキングや水泳の人気が高まり、水中での運動量を正確に計測できる水中体動検出装置が切望されている。
【０００３】
これに対し、発明者はこれまでに種々の水中体動検出装置を提案している。例えば、特許文献１（特開２０１３−３９３１６号公報）では、光検出センサと、電源と、前記光検出センサからの信号を受信し、受信した信号を演算する演算手段と、前記演算手段が演算した結果を表示する表示部を備えることを特徴とする水中体動検出装置を提案している。
【０００４】
前記特許文献１に記載の水中体動検出装置においては、光検出センサを用いることを特徴としているので、空気中から水中に入水した際の光の強弱や水中における光の強弱を検出することができ、その結果、運動の負荷の度合にかかわらず、水中における各種の運動について正確な運動量の計測を行うことができる。
【０００５】
また、特許文献２（特開２０１３−４３０８０号公報）では、上記光検出センサがＣＤＳセンサ、フォトダイオード、フォトトランジスタ、ＣＣＤセンサ、及びＰＳＤセンサから選択される一のセンサであることを特徴とする水中体動検出装置を提案している。
【０００６】
前記特許文献２に記載の水中体動検出装置においては、特に、比較的安価でありながらも良好な感度を示すＣＤＳセンサ（硫化カドミウム素子）を用いることで、運動量を正確に計測できる水中体動検出装置を実現することができる。
【先行技術文献】
【特許文献】
【０００７】
【特許文献１】特開２０１３−３９３１６号公報
【特許文献２】特開２０１３−４３０８０号公報
【発明の概要】
【発明が解決しようとする課題】
【０００８】
しかしながら、上記特許文献１及び特許文献２において提案されている水中体動検出装置はいずれも光検出センサを用いる必要があるため、比較的安価なＣＤＳセンサ（硫化カドミウム素子）を用いた場合であっても、基本的な製造コストが高くなるという問題がある。
【０００９】
また、光検出センサを用いた水中体動検出装置は、水の中と外における光の強弱を検知することによって水中体動を検知するものであり、測定精度が明るさ等の周辺環境に依存してしまうという問題もある。
【００１０】
そこで、本発明は、構造が簡単で低コストで作製できると共に、周辺環境に依らず水中における各種運動の運動量を正確に計測できる水中体動検出装置の提供を目的とする。
【課題を解決するための手段】
【００１１】
上述した課題を解決すべく、本発明は、
互いに離れた位置に設けられた第一端子及び第二端子を含む電気接点部と、
前記電気接点部の接続状態を受信する受信部と、
前記受信部が受信した信号を演算する演算手段と、
前記演算手段による演算結果を表示する表示部と、
電源と、を備え、
前記電気接点部が水中に入れられることによって、前記第一端子と前記第二端子とが通電し、前記電気接点部が水中から出されることによって絶縁する機構を有し、
前記通電及び／又は絶縁の回数を計測することにより、水中における体動回数を計測すること、
を特徴とする水中体動検出装置を提供する。
【００１２】
上記本発明の水中体動検出装置では、水中における体動回数を、水の有無による第一端子と第二端子との通電状態の変化によって測定するため、測定結果が明るさ等の周囲の環境に依存せず、正確な値を得ることができる。
【００１３】
上記本発明の水中体動検出装置においては、前記略同一平面の前記第一端子と前記第二端子との間に凸部を有すること、が好ましい。当該凸部によって前記第一端子と前記第二端子との間の水切りがよくなり、より正確に通電及び／又は絶縁の回数を計測することができる。
【００１４】
また、上記本発明の水中体動検出装置においては、更に、前記演算結果を送信する送信部を備えること、が好ましい。演算結果を送信する送信部を備えることで、計測した運動量をパソコンや携帯電話等に簡単に取り込むことができ、計測対象者の運動管理を簡便かつ継続的に行うことができる。
【発明の効果】
【００１５】
本発明の水中体動検出装置によれば、構造が簡単で低コストで作製できると共に、周辺環境に依らず水中における各種運動の運動量を正確に計測できる水中体動検出装置を提供することができる。
【図面の簡単な説明】
【００１６】
【図１】本発明の水中体動検出装置の一例を示した概略平面図である。
【図２】本発明の水中体動検出装置の一例を示した概略正面図である。
【図３】本発明の水中体動検出装置の一例を示した概略右側面図である。
【図４】本発明の水中体動検出装置の一例を示した概略左側面図である。
【図５】本発明の水中体動検出装置の使用状態の一例を示す模式図である。
【図６】本発明の水中体動検出装置の別の使用状態を示す模式図である。
【図７】本発明の水中体動検出装置の動作を示すフローチャートである。
【発明を実施するための形態】
【００１７】
以下、本発明の代表的な実施形態に係る水中体動検出装置について、図面を参照しつつ詳細に説明するが、本発明の水中体動検出装置が図示されるものに限られないことはいうまでもない。また、以下の説明では、同一又は相当部分には同一符号を付し、重複する説明は省略することもある。図面は、本考案を概念的に説明するためのものであるから、理解容易のために、必要に応じて寸法、比又は数を誇張又は簡略化して表している場合もある。
【００１８】
図１〜図４に、本発明の水中体動検出装置の一例を示す概略平面図、概略正面図、概略右側面図、及び概略左側面図をそれぞれ示す。水中体動検出装置１は、本体部２の表面における略同一平面上に互いに離れた位置に設けられた第一端子４及び第二端子６を有しており、第一端子４と第二端子６との間に凸部８を有している。
【００１９】
また、本体部２には、第一端子４及び第二端子６を含む電気接点部の接続状態を受信する受信部と、当該受信部が受信した信号を演算する演算手段と、当該演算手段による演算結果を表示する表示部１０と、電源と、が備えられている。
【００２０】
次に、本発明の水中体動検出装置１の主な構成要件について詳細に説明する。
【００２１】
（電気接点部）
電気接点部を構成する第一端子４と第二端子６は本体部２の表面に設置され、水中体動検出装置１が水中にある場合は第一端子４と第二端子６とが通電する。ここで、純水は導電性を有さない（僅かに電導性を有するが、絶縁体に分類される）が、様々な不純物が含まれる水道水や塩分を含む海水は導電性を有している。
【００２２】
第一端子４と第二端子６との間に凸部８を有することで、水中体動検出装置１が水中にある場合とない場合における導電−絶縁状態の切替りが迅速になる。具体的には、凸部８が存在しない場合は表面張力の影響で第一端子４と第二端子６とを繋いでいる水が切れ難いのに対し、凸部８が存在する場合は第一端子４と凸部８の間及び／又は第二端子６と凸部８の間に水が分離し、効果的に第一端子４と第二端子６とが絶縁される。また、少なくとも当該凸部８の表面等の、第一端子４と第二端子６と間に位置する部分には、シリコーン樹脂等の撥水性樹脂で構成された層（撥水層）を設けてもよい。凸部８そのものがシリコーン樹脂等の撥水性樹脂で構成されていてもよい。これにより、第一端子４と第二端子６と間において、水がより確実に分離し、効果的に第一端子４と第二端子６とが絶縁される。また、本体部２そのものを撥水性樹脂で形成してもよいし、本体部２の表面に撥水層を設けてもよい。
【００２３】
（受信部）
電気接点部の通電及び／又は絶縁の回数を受信するものである。なお、当該受信結果は演算手段に供給される。
【００２４】
（演算手段）
水中体動検出装置１に用いられる演算手段は、受信部の受信回数に基づいて、計測対象者２０が実際にどの程度運動を行ったかを演算する手段である。ここで、演算手段の具体的な内容としては、例えば後述するように、受信部の受信回数によって水泳時のストローク回数や水中におけるウォーキング時の歩数を計測するものが挙げられる。なお、ストローク回数や歩数の計測には通電の回数と絶縁の回数のどちらを用いてもよい。
【００２５】
また、上記によって計数した水泳時のストローク回数や水中におけるウォーキング時の歩数と、情報格納部から抽出した演算式や身体データを用いて消費カロリーなどの運動量を演算することもできる。
【００２６】
（表示部）
水中体動検出装置１に用いられる表示部１０は、上記演算手段によって計測された運動量を表示するためのものであるが、適宜、時刻表示機能やタイマー機能を内蔵しておくこともできる。
【００２７】
（電源）
水中体動検出装置１に用いられる電源は、第一端子４と第二端子６との間に電圧を印加すると共に、演算手段及び表示部１０等を稼働させるものであり、１次電池や２次電池等を用いることができる。
【００２８】
次に、上記のように構成された水中体動検出装置１の使用中の動作を説明する。
【００２９】
図５は水中体動検出装置１の使用状態の一例を示す模式図であり、具体的にはプールなどにおいてウォーキングを行う場合や移動をせずにその場で運動を行う場合を模式した図である。
【００３０】
図５に示すように、水中体動検出装置１をベルト等で腕に装着した計測対象者２０がウォーキングなどを行う場合には、腕が空中に位置している段階（Ａ）と腕が水中に位置している段階（Ａ’）の２つの段階に大きく分けることができる。
【００３１】
ここで、Ａの段階では、水中体動検出装置１は空中に存在し、Ａ’の段階では水中体動検出装置１は水中に存在することになる。即ち、Ａの段階では受信部が絶縁状態を受信し、Ａ’の段階では受信部が通電状態を受信する。この結果、腕が動かされた回数を確実に計測することができる。なお、移動をせずにその場で足踏み等の運動を行う場合においても、当該運動を検知することができる。
【００３２】
図６は水中体動検出装置１の別の使用状態を示す模式図であり、具体的にはプールなどにおいてクロールを行う場合を模式した図である。
【００３３】
図６に示すように、水中体動検出装置１を腕に装着した計測対象者２０がクロールを行う場合には、腕が水上にある段階（Ａ）、腕が入水して水面付近で伸ばされている段階（Ｂ）、腕が掻かれることで体が進む段階（Ｃ）、腕が水中から抜かれる段階（Ｄ）の４つの段階に大きく分けることができる。
【００３４】
ここで、Ａの段階では水中体動検出装置１は空中に、それ以外のＢ〜Ｄの段階では水中体動検出装置１は水中に存在することになる。即ち、Ａの段階では受信部が絶縁状態を受信し、Ｂ〜Ｄの段階では受信部が通電状態を受信する。この結果、通電状態及び/又は絶縁状態の回数を計測することで、ストロークの回数を確実に計測することができる。
【００３５】
図７は水中体動検出装置１の動作を示すフローチャートである。計測対象者２０が、水中において運動をした場合にはＳ１の受信部で通電状態及び／又は絶縁状態の信号が検出され、当該信号がＳ２の制御手段の中にあるＳ３の演算手段に送られる。
【００３６】
次に、演算手段に送られた信号は、Ｓ４の操作スイッチからの指示によって演算処理が行われる。具体的には、通電状態及び／又は絶縁状態の信号の受信回数からウォーキング時の歩数や水泳時のストローク回数を計測し、必要に応じて当該計測結果とＳ５の情報格納部から抽出した演算式や身体データとを用いて、消費カロリーなどの運動量を演算する演算処理等が行われる。
【００３７】
次に、演算手段によって演算された演算結果は、Ｓ６の表示部１０に送られて表示される。また、同時にＳ７の送信部に送られるとともに、Ｓ８の記憶部にも送られて記憶される。最後に、送信部に送られた演算結果は、無線または有線回線を通じてＳ９の、携帯電話などの各種の情報端末や、Ｓ１０のサーバなどの大型コンピュータに送信される。
【実施例】
【００３８】
透明のアクリルケースの中に上述の構成部品を収納して密封し、電気配線を接続した２つの市販の押しピンを第一端子及び第二端子としてアクリル樹脂ケースの表面に設けた簡易な水中体動検出装置を作製した。なお、２つの押しピンの間には、幅８ｍｍ×長さ１５ｍｍ×高さ５ｍｍのアクリル樹脂製の板材を接着剤で固定した。
【００３９】
次に、水中体動検出装置をバンドで手首に取り付け、プールにてウォーキング及び水泳（クロール、背泳ぎ）を行い、実際の歩数及びストローク数と測定された歩数及びストローク数とを比較した。結果を表１に示す。なお、比較はウォーキング、クロール及び背泳ぎについて各１０回（Ｎｏ．１〜Ｎｏ．１０）行い、水中体動検出装置を取り付けた手首が動作の途中で空中に出るように心がけた。
【００４０】
【表１】
0005472872.tif 000002
【００４１】
ウォーキング、クロール及び背泳ぎの全てにおいて、実数と測定数は良い一致を示している。当該結果より、本発明の水中体動検出装置は水中における種々の運動の回数を正確に計測できることが分かる。
【００４２】
以上、本発明の代表的な実施形態について説明したが、本発明はこれらのみに限定されるものではなく、種々の設計変更が可能である。
【符号の説明】
【００４３】
１・・・水中体動検出装置、
２・・・本体部、
４・・・第一端子、
６・・・第二端子、
８・・・凸部、
１０・・・表示部、
２０・・・計測対象者。
【要約】
【課題】構造が簡単で低コストで作製できると共に、周辺環境に依らず水中における各種運動の運動量を正確に計測できる水中体動検出装置の提供を目的とする。
【解決手段】互いに離れた位置に設けられた第一端子及び第二端子を含む電気接点部と、電気接点部の接続状態を受信する受信部と、受信部が受信した信号を演算する演算手段と、演算手段による演算結果を表示する表示部と、電源と、を備え、電気接点部が水中に入れられることによって、第一端子と第二端子とが通電し、電気接点部が水中から出されることによって絶縁する機構を有し、通電及び／又は絶縁の回数を計測することにより、水中における体動回数を計測すること、を特徴とする水中体動検出装置。
【選択図】図１【図１】
0005472872.tif 000003
【図２】
0005472872.tif 000004
【図３】
0005472872.tif 000005
【図４】
0005472872.tif 000006
【図５】
0005472872.tif 000007
【図６】
0005472872.tif 000008
【図７】
0005472872.tif 000009